(57)【特許請求の範囲】
【請求項１】
フレームに回転可能な３本の第１ロール，第２ロールおよび第３ロールを直列して設け、第１ロールと第２ロールとの間に上方から流動性を有する被混合物を供給すると共に、第２ロールと第３ロールとの間に送り出して被混合物を混合分散せしめる混合分散機であって、前記第１，第２ロールの両端間に亘って、第１，第２ロールの周面における上側および第１，第２ロールの周面における最接近部の前後上方部の３方向を被う安全カバーを設け、かつこの安全カバーの開作動を検知し前記各ロールおよび前記安全カバーの取り外し作動を停止せしめるセンサを設け、前記安全カバーを左右方向に２分割にすると共に分割された各安全カバーが左右方向へ開閉可能であることを特徴とする混合分散機。
【請求項２】
フレームに回転可能な３本の第１ロール，第２ロールおよび第３ロールを直列して設け、第１ロールと第２ロールとの間に上方から流動性を有する被混合物を供給すると共に、第２ロールと第３ロールとの間に送り出して被混合物を混合分散せしめる混合分散機であって、前記第１，第２ロールの両端間に亘って、第１，第２ロールの周面における上側および第１，第２ロールの周面における最接近部の前後上方部の３方向を被う安全カバーを設け、かつこの安全カバーの開作動を検知し前記各ロールおよび前記安全カバーの取り外し作動を停止せしめるセンサを設け、前記安全カバーの前後上方部のうち少なくとも一方向側の安全カバーが前後上下方向へ開閉可能あるいは取り外し可能であることを特徴とする混合分散機。
【請求項３】
フレームに回転可能な３本の第１ロール，第２ロールおよび第３ロールを直列して設け、第１ロールと第２ロールとの間に上方から流動性を有する被混合物を供給すると共に、第２ロールと第３ロールとの間に送り出して被混合物を混合分散せしめる混合分散機であって、前記第１，第２ロールの両端側に、前記第１，第２ロールの周面における上側および第１，第２ロールの周面における最接近部の前後上方部の３方向に光線を通過せしめて３方向からの物の侵入を検知する光センサの投光部，受光部をそれぞれ設けてなることを特徴とする混合分散機。
【発明の詳細な説明】
【０００１】
【発明の属する技術分野】
この発明は、例えばインキ，塗料などの被混合物を混合分散せしめる混合分散機に関する。
【０００２】
【従来の技術】
従来、インキ，塗料などの被混合物を混合分散せしめる混合分散機１０１としては、例えば図７に示されているような３本ロールミルが知られている。図７において立設されたフレーム１０３Ｌとフレーム１０３Ｒとの間における上部には第１ロール１０５，第２ロール１０７および第３ロール１０９が直列して回転可能に設けられている。しかも、図８に示されているように、第１ロール１０５と第２ロール１０７の回転方向は、矢印のごとく相反する方向に、第３ロール１０９は前記第１ロール１０５と同方向となっている。
【０００３】
しかも、前記フレーム１０３Ｌ，１０３Ｒにおける第１ロール１０５と第２ロール１０７との間の両端側にそれぞれ堰板１１１Ｌ，１１１Ｒ（洩れ防止ガイドとも言う）が設けられて、この堰板１１１Ｌ，１１１Ｒは第１ロール１０５と第２ロール１０７との間に混合分散せしめる被混合物Ｍ（図８参照）が一定量載せられた場合、第１ロール１０５，第２ロール１０７の左右両側へ洩れ出さないように防止するものである。
【０００４】
上記構成により、第１ロール１０５，第２ロール１０７および第３ロール１０９が図８に矢印で示されているごとく回転されることにより、被混合物Ｍが第１ロール１０５と第２ロール１０７との間に供給されて混合分散されると共に第２ロール１０７から第３ロール１０９へと送り出される。この工程を１回ないし数十回繰り返すことにより、被混合物Ｍが均一に混合分散され粒径がそろえられて均一な混合物が得られることになる。
【０００５】
【発明が解決しようとする課題】
ところで、上述した従来の混合分散機１０１では、通常第１ロール１０５の前側，第３ロール１０９の後側に作業者が立って例えば二人一組で作業を行っている。そして、第１ロール１０５，第２ロール１０７の上方には簡易でかつ着脱自在の安全バーが設けられているが、安全対策として安易であるため、作業者が第１ロール１０５，第２ロール１０７を単にウエスなどで掃除するときにウエスが巻き込まれないように防止するに過ぎず、ロール停止装置は具備されていても手の巻き込まれを防止する安全装置は装備されていないのが現状である。
【０００６】
そのために、例えば作業者がウエスを使って第１ロール１０５を清掃する際に、第１ロール１０５，第２ロール１０７にウエスが巻き込まれたときに、このウエスを取り除こうとして作業者の手が特に第１ロール１０５に不意に巻き込まれるような場合もあり、このような危険を防ぐことができない状態である。
【０００７】
この発明の目的は、特に第１ロールに作業者の手などが近づけないよう、さらには機械自体を停止して作業者の安全を図るようにした混合分散機を提供することにある。
【０００８】
【課題を解決するための手段】
上記目的を達成するために請求項１によるこの発明の混合分散機は、フレームに回転可能な３本の第１ロール，第２ロールおよび第３ロールを直列して設け、第１ロールと第２ロールとの間に上方から流動性を有する被混合物を供給すると共に、第２ロールと第３ロールとの間に送り出して被混合物を混合分散せしめる混合分散機であって、前記第１，第２ロールの両端間に亘って、第１，第２ロールの周面における上側および第１，第２ロールの周面における最接近部の前後上方部の３方向を被う安全カバーを設け、かつこの安全カバーの開作動を検知し前記各ロールおよび前記安全カバーの取り外し作動を停止せしめるセンサを設け、前記安全カバーを左右方向に２分割にすると共に分割された各安全カバーが左右方向へ開閉可能であることを特徴とするものである。
【０００９】
したがって、第１，第２ロールの両端間に亘って、第１，第２ロールの周面における上側および前記第１，第２ロールの周面における最接近部の前後上方部の３方向から安全カバーが設けられているから、第１，第２ロールに特に作業者の手などが侵入しようとしても安全カバーに当って侵入されない。而して、この安全カバーを設けたことにより、作業者の手などが第１ロールと第２ロールとの間に挟まれるのが防止されて安全化が図られる。しかも、安全カバーを開かせた場合には、機械すなわち各ロールおよび安全カバーの取り外し作動が停止されるので、より安全が図られる。
【００１０】
また、安全カバーが左右方向へ２分割され、しかも各安全カバーが左右方向へ開閉可能になっているので、少なくとも片方の安全カバーが開いたときでも機械すなわち各ロールおよび安全カバーの取り外し作動が停止されるので、より一層安全が図られる。
【００１１】
請求項２によるこの発明の混合分散機は、フレームに回転可能な３本の第１ロール，第２ロールおよび第３ロールを直列して設け、第１ロールと第２ロールとの間に上方から流動性を有する被混合物を供給すると共に、第２ロールと第３ロールとの間に送り出して被混合物を混合分散せしめる混合分散機であって、前記第１，第２ロールの両端間に亘って、第１，第２ロールの周面における上側および第１，第２ロールの周面における最接近部の前後上方部の３方向を被う安全カバーを設け、かつこの安全カバーの開作動を検知し前記各ロールおよび前記安全カバーの取り外し作動を停止せしめるセンサを設け、前記安全カバーの前後上方部のうち少なくとも一方向側の安全カバーが前後上下方向へ開閉可能あるいは取り外し可能であることを特徴とするものである。
【００１２】
したがって、第１，第２ロールの両端間に亘って、第１，第２ロールの周面における上側および前記第１，第２ロールの周面における最接近部の前後上方部の３方向から安全カバーが設けられているから、第１，第２ロールに特に作業者の手などが侵入しようとしても安全カバーに当って侵入されない。而して、この安全カバーを設けたことにより、作業者の手などが第１ロールと第２ロールとの間に挟まれるのが防止されて安全化が図られる。しかも、安全カバーを開かせた場合には、機械すなわち各ロールおよび安全カバーの取り外し作動が停止されるので、より安全が図られる。
【００１３】
また、安全カバーの前後上方部のうち少なくとも一方向側の安全カバーが前後上下方向へ開閉可能あるいは取り外し可能であるから、少なくとも一方向側の安全カバーが開いて機械すなわち各ロールおよび安全カバーの取り外し作動が停止されるので、より一層の安全が図られる。
【００１４】
請求項３によるこの発明の混合分散機は、フレームに回転可能な３本の第１ロール，第２ロールおよび第３ロールを直列して設け、第１ロールと第２ロールとの間に上方から流動性を有する被混合物を供給すると共に、第２ロールと第３ロールとの間に送り出して被混合物を混合分散せしめる混合分散機であって、前記第１，第２ロールの両端側に、前記第１，第２ロールの周面における上側および第１，第２ロールの周面における最接近部の前後上方部の３方向に光線を通過せしめて３方向からの物の侵入を検知する光センサの投光部，受光部をそれぞれ設けてなることを特徴とするものである。
【００１５】
したがって、投光部から光線が投光されて、受光部で受光されるようになっているから、投光されている光線を例えば作業者の手がさえぎると、投光部に光線が受光されないことを検知して機械すなわち各ロールが停止されるので、特に第１ロールと第２ロールとの間に挟まることが防止されてより安全が図られる。
【００１６】
【発明の実施の形態】
以下、この発明の実施の形態を図面に基いて詳細に説明する。
【００１７】
図１，図２および図３を参照するに、インキなどの被混合物Ｍを混合分散せしめる混合分散機１は例えば３本ロールミルからなっていて、立設されたフレーム３Ｌとフレーム３Ｒとの間における上部には第１ロール５，第２ロール７および第３ロール９が直列して回転可能に設けられている。しかも、第１ロール５と第２ロール７の回転方向は、図３に矢印で示した如く相反する方向に、第３ロール９は前記第１ロール５と同方向となっている。また、第１ロール５，第２ロール７，第３ロール９の回転比は例えば、１：１．５：４となって回転されるものである。
【００１８】
前記フレーム３Ｌ，３Ｒにおける第１ロール５と第２ロール７との間の両端側にはそれぞれ堰板１１Ｌ，１１Ｒ（洩れ防止ガイドともいう。）が設けられ、この堰板１１Ｌ，１１Ｒ、第１ロール５、第２ロール７との間に混合分散せしめる被混合物Ｍが図３に示すごとく、一定量載せられた場合、第１ロール５，第２ロール７の左右両側へ洩れ出さないよう防止するものである。また、この堰板１１Ｌ，１１Ｒはそれぞれ内側へ移動させることができ、堰板１１Ｌと１１Ｒの間隔を自由に調整することもできる。
【００１９】
上記構成により、第１ロール５，第２ロール７および第３ロール９が図３に矢印で示した如く、回転されることにより、被混合物Ｍが第１ロール５と第２ロール７との間に供給されて混合分散されると共に第２ロール７から第３ロール９へと送り出される。第３ロール９からは例えばドクタナイフにより離れるようになっている。この工程を１回ないし数十回繰り返すことにより、被混合物Ｍが均一に混合分散され粒径がそろえられて均一な混合物が得られることになる。
【００２０】
前記第１ロール５，第２ロール７の両端間に亘って、第１，第２ロール５，７の周面における上側および前記第１，第２ロール５，７の周面における最接近部の前後上方部の３方向を被った安全カバー１３が設けられている。この安全カバー１３は左右方向に２分割された安全カバー１３Ｌ，１３Ｒとなっている。この各安全カバー１３Ｌ，１３Ｒは図１，図２に示されているように蝶番１５Ｌ，１５Ｒでもって図１に矢印で示すごとく観音開き状態に開くようになっている。各安全カバー１３Ｌ，１３Ｒの左右側部にはセンサ１７のうちのドグ１９が設けられていると共に、フレーム３Ｌ，３Ｒ上にはリミットスイッチ２１が設けられている。したがって、各安全カバー１３Ｌ，１３Ｒが図１において左右へ開くと、ドグ１９がリミットスイッチ２１に当接し、センサ１７が働き、機械すなわち各ロール５，７，９が停止するようにインターロックがかかる。
【００２１】
しかも、各安全カバー１３Ｌ，１３Ｒは図３に示されているように、下部を開放した前後および上部の３方部で例えば被混合物Ｍがインキの場合、溶剤で溶けない材質すなわち、鉄，その他の金属やアクリルなどのプラスチックなどからなっていて、例えば複数の１０φのパイプＰからなっていて、各パイプＰの間隔は例えば２０〜３０ｍｍで、作業者の手が入っても巻き込まれないようになっている。しかも、第１ロール５と各安全カバー１３Ｌ，１３Ｒの下部との間隔も上記パイプＰの間隔と同じように作業者の手が入り込まないようになっている。また、前記フレーム３Ｌ，３Ｒの上面の前後左右にはロール停止スイッチ２３が設けられている。
【００２２】
したがって、被混合物Ｍを混合分散処理している間は、各安全カバー１３Ｌ，１３Ｒが閉じているので、作業者の手が入り込まないようになっている。そのため、従来よりも安全性を向上せしめることができると共に、非常の場合はロール停止スイッチ２３を押すことにより、機械すなわち各ロール５，７，９を停止せしめることができる。また、各安全カバー１３Ｌ，１３Ｒを開かせると、センサ１７が働き、各ロール５，７，９および安全カバー１３の取り外し作動を停止せしめることができ、より一層の安全を図ることができる。
【００２３】
図４，図５には別の発明の実施の形態が示されている。図４において安全カバー２５が上部カバー２５Ｕ，前部カバー２５Ｆ，後部カバー２５Ｂからなっていて、前部カバー２５Ｆ，後部カバー２５Ｂが上部カバー２５Ｕに対して前，後方向へ開閉されるようになっている。したがって、前部カバー２５Ｆ，後部カバー２５Ｂの両方を開かせると、センサが働いて各ロール５，７，９が停止するので、従来よりも危険性が少なくなって安全性の向上を図ることができる。
【００２４】
図５の場合は図４の場合の変形で、前部カバー２５Ｆのみを前方向へ開かせるようにしたものである。この場合も図４と同様の効果を奏するものである。
【００２５】
図６には他の発明の実施の形態が示されている。図６において、第１ロール５，第２ロール７の両端側に、第１ロール５，第２ロール７の周面における上側および第１，第２ロール５，７の周面における最接近部の前後上方部の３方向に光線を通過せしめる３方向からの物の侵入を検知する光センサ２７として投光部２７Ａ，受光部２７Ｂがそれぞれ設けられている。しかも、投光部２７Ａ，受光部２７Ｂは門型形状に適宜な間隔例えば２０〜３０ｍｍ程度で光線部を有している。
【００２６】
したがって、投光部２７Ａから光線が常時投光されて受光部２７Ｂで光線を受光するようになっているので、この複数の光線中に例えば作業者の手などが横切った場合には、受光部２７ＢはＯＮ状態からＯＦＦ状態となり、各ロール５，７，９が停止される。而して、この例の場合も、上述した例と同様に光センサ２７自体が安全カバーとして取り外せる構造となっていて安全の向上を図ることができる。
【００２７】
なお、この発明は、前述した実施の形態に限定されることなく、適宜な変更を行うことにより、その他の態様で実施し得るものである。被混合物Ｍとしてはインキ，塗料の他にチョコレートなどの食品類でも適用可能である。
【００２８】
【発明の効果】
以上のごとき発明の実施の形態の説明より理解されるように、請求項１の発明によれば、第１，第２ロールの両端間に亘って、第１，第２ロールの周面における上側および前記第１，第２ロールの周面における最接近部の前後上方部の３方向から安全カバーが設けられているから、第１，第２ロールに特に作業者の手などが侵入しようとしても安全カバーに当って侵入されない。而して、この安全カバーを設けたことにより、作業者の手などが第１ロールと第２ロールとの間に挟まれるのが防止されて安全化を図ることができる。しかも、安全カバーを開かせた場合には、機械すなわち各ロールおよび安全カバーの取り外し作動が停止されるので、より安全を図ることができる。
【００２９】
また、安全カバーが左右方向へ２分割され、しかも各安全カバーが左右方向へ開閉可能になっているので、少なくとも片方の安全カバーが開いたときでも機械すなわち各ロールおよび安全カバーの取り外し作動が停止されるので、より一層安全を図ることができる。
【００３０】
請求項２の発明によれば、第１，第２ロールの両端間に亘って、第１，第２ロールの周面における上側および前記第１，第２ロールの周面における最接近部の前後上方部の３方向から安全カバーが設けられているから、第１，第２ロールに特に作業者の手などが侵入しようとしても安全カバーに当って侵入されない。而して、この安全カバーを設けたことにより、作業者の手などが第１ロールと第２ロールとの間に挟まれるのが防止されて安全化を図ることができる。しかも、安全カバーを開かせた場合には、機械すなわち各ロールおよび安全カバーの取り外し作動が停止されるので、より安全を図ることができる。
【００３１】
また、安全カバーの前後上方部のうち一方向側の安全カバーが前後上下方向へ開閉可能であるから、一方向側の安全カバーが開いても機械すなわち各ロールおよび安全カバーの取り外し作動が停止されるので、より一層の安全を図ることができる。
【００３２】
請求項３の発明によれば、投光部から光線が投光されて、受光部で受光されるようになっているから、投光されている光線を例えば作業者の手などがさえぎると、投光部に光線が受光されないことを検知して機械すなわち各ロールが停止されるので、特に第１ロールと第２ロールとの間に挟まることが防止されてより安全を図ることができる。
【図面の簡単な説明】
【図１】  この発明の混合分散機の実施形態の正面図である。
【図２】  図１における平面図である。
【図３】  図２におけるIII −III 線に沿った拡大図である。
【図４】  この発明の混合分散機の他の実施形態の側面図である。
【図５】  この発明の混合分散機の他の実施形態の側面図である。
【図６】  この発明の混合分散機における他の安全装置の斜視図である。
【図７】  従来の混合分散機の斜視図である。
【図８】  図７における側面図である。
【符号の説明】
１  混合分散機
３Ｌ，３Ｒ  フレーム
５  第１ロール
７  第２ロール  ９  第３ロール
１１Ｌ，１１Ｒ  堰板
１３，１３Ｌ，１３Ｒ  安全カバー
１５Ｌ，１５Ｒ  蝶番
１７  センサ
１９  ドグ
２１  リミットスイッチ
２３  ロール停止スイッチ
２５，２５Ｆ，２５Ｂ  安全カバー
２７  センサ
２７  投光部
２７Ｂ  受光部
【図１】
0003658966.tif 000002
【図２】
0003658966.tif 000003
【図３】
0003658966.tif 000004
【図４】
0003658966.tif 000005
【図５】
0003658966.tif 000006
【図６】
0003658966.tif 000007
【図７】
0003658966.tif 000008
【図８】
0003658966.tif 000009